(57)【要約】【課題】組み立て及び折り畳みが簡単かつ安全に行えると共に椅子の安全性を高めた正座椅子を提供する。【解決手段】正座椅子１は着座用の座板４とその下方に対向配置され床面に設置される底板２を備え、座板４と底板２は脚部３を介して高さ調整可能に連結されている。脚部３は、座板４の裏面の所定の位置に一端が回動可能に取り付けられた脚柱３１０Ａ，３１０Ｂを備えた第１の脚部３１と、底板２の表面の所定の位置に一端がねじりばね１０により付勢された状態で回動可能に取り付けられ、かつ第１の脚部３１と交差する（Ｘ字形を成す）と共に互いの中央部で回動可能に軸設された脚柱３２０Ａ，３２０Ｂを備えた第２の脚部３２とを備える。座板４は第１の脚部３１の他端が係止される複数の長穴４２２を有し、底板２は第２の脚部３２の他端が支持される支持部を有する。【選択図】図４
2011031018.tif 000002
【特許請求の範囲】
【請求項１】
着座用の座板と、
前記座板の下方に対向配置された底板と、
前記底板の表面の所定の位置に一端が回動可能に取り付けられた一対の脚柱を有する第１の脚部と、
前記座板の裏面の所定の位置に一端が回動可能に取り付けられ、前記第１の脚部に交差させて互いの中央部で回動可能に軸設された一対の脚柱を有する第２の脚部と、
前記座板の裏面の所定の位置に設けられ、使用時において前記第１の脚部の他端が係止される第１の係止部と、
前記底板の表面の所定の位置に設けられ、使用時において前記第２の脚部の他端が係止される第２の係止部とを備え、
前記第１の脚部の一端と前記底板との取り付け部に前記底板を前記座板の方向に付勢する第１の弾性部材が設けられている、
ことを特徴とする正座椅子。
【請求項２】
前記第１の係止部が少なくとも１つの長穴を、前記第２の係止部が少なくとも１つの凹部をそれぞれ備えており、前記長穴と前記凹部が同数設けられていることを特徴とする請求項１に記載の正座椅子。
【請求項３】
着座用の座板と、
前記座板の下方に対向配置された底板と、
前記底板の表面の所定の位置に一端が回動可能に取り付けられた一対の脚柱を有する第１の脚部と、
前記座板の裏面の所定の位置に一端が回動可能に取り付けられ、前記第１の脚部に交差させて互いの中央部で回動可能に軸設された一対の脚柱を有する第２の脚部と、
前記座板の裏面の所定の位置に設けられ、使用時において前記第１の脚部の他端が係止される少なくとも一つの長穴を有する第１の係止部と、
前記底板の表面の所定の位置に設けられ、使用時において前記第２の脚部の他端が支持される支持部とを備え、
前記第１の脚部の一端と前記底板との取り付け部に前記底板を前記座板の方向に付勢する第１の弾性部材が設けられている、
ことを特徴とする正座椅子。
【請求項４】
前記支持部が前記第２の脚部の他端を摺動可能に係合する溝を有するガイド部であって、前記ガイド部が前記底板の表面の長手方向の両側に設けられていることを特徴とする請求項３に記載の正座椅子。
【請求項５】
さらに、前記第２の脚部の一端と前記座板との取り付け部に前記第２の脚部を前記座板の方向に付勢する第２の弾性部材が設けられていることを特徴とする請求項１ないし４のいずれか１項に記載の正座椅子。
【請求項６】
前記第１の弾性部材又は前記第２の弾性部材がねじりばねであることを特徴とする請求項５に記載の正座椅子。
【請求項７】
前記長穴が３つ設けられていることを特徴とする請求項２又は３に記載の正座椅子。
【発明の詳細な説明】
【技術分野】
【０００１】
本発明は、和室等において人が正座する際に使用される正座椅子に関する。
【背景技術】
【０００２】
人が和室等で床に正座した場合、体重の大部分が臀部を通じて足にかかることや膝を屈曲することにより下半身の血管や神経が圧迫されるため、その状態を長く持続していると足や下腿にしびれが生じる。このしびれを軽減するものとして、臀部が足に載らないようにした正座椅子が知られている。
【０００３】
例えば、特許文献１に示される図１７のような正座椅子がある。この正座椅子１００は側面方向から見て長方形の枠形をした脚１０１，１０２を有しており、その中間は軸１０３で軸支され正面から見てＸ字形になるように組合されており、その上部は座板１０４の下面に取り付けられた連結板１０５に介在させられている。連結板１０５は、脚１０１の上部を回動可能に支持する巻着連結部１０６と脚１０２の上部を取り外し可能に係着するＪ字連結部１０７を有している。これによって、Ｊ字連結部１０７に脚１０２の上端を嵌入させれば図１７に示す正座椅子１００となり、Ｊ字連結部１０７から脚１０２を外せば、脚１０１，１０２が座板１０４に重なるように折り畳むことができる。
【０００４】
しかし、この正座椅子１００は底板を有していないため、座板１０４から加えられる荷重が脚１０１，１０２の開脚方向に流れることになる。その結果、特に使用頻度が重なるにつれ脚１０１，１０２のＸ字形が緩み必要な座板の高さを維持できなくなったり、脚１０１，１０２の下端の床面への直接接触により畳や板張りなどの床面が傷つけられたりする。また、座板の位置を高く設定すると脚１０１，１０２のＸ字形が縦方向に細長くなるため、人が座った状態で重心を移動させたりすると不安定となり甚だしいときには転倒の危険がある。
【０００５】
これに対し、特許文献２に示されるように、所定の距離をもって配置された座板及び底板と、これらと回動可能に連結された２つの中折れ式の脚本体を備え、正座椅子として使用するときには２つの脚本体の中間位置がＸ字形になるようにし、かつ、保管するとき等には２つの脚本体の中間位置を外側へ「く」字状に曲げて底板と座板とが重なるようにした正座椅子もある。
【０００６】
しかし、この特許文献２に記載の正座椅子は底板を有しているものの、脚本体を使用時と不使用時において逆方向に屈曲させる構造であるため、組立て及び折畳みにおいてユーザーの手間がかかり、迅速な使用を行うことができない。また、座板の高さを複数設定することは困難である。
【０００７】
上述した２つの従来の正座椅子は脚部分が自由に動く構造であるため、セットをする際に両手で行う必要があり、荷物を抱えているなどの場合に迅速に正座椅子を行うことが困難であり、また、セット時及び折畳み時に指等を挟みやすいという欠点がある。
【先行技術文献】
【特許文献】
【０００８】
【特許文献１】実用新案登録第３０１５４００号公報
【特許文献２】特開２００３−１５３７６８号公報
【発明の概要】
【発明が解決しようとする課題】
【０００９】
本発明の目的は、組立て及び折畳みが片手でも迅速、簡単及び安全に行えるととともに、座板の高さを調節でき、座板が高い位置にあっても使用時において安定性が高く、床面に傷等をつけることのない正座椅子を提供することにある。
【課題を解決するための手段】
【００１０】
上記課題を解決するための手段としては、以下の通りである。即ち、
（１）着座用の座板と、座板の下方に対向配置された底板と、底板の表面の所定の位置に一端が回動可能に取り付けられた一対の脚柱を有する第１の脚部（明細書、要約書又は図面において第１の開閉脚ということがある）と、座板の裏面の所定の位置に一端が回動可能に取り付けられ、第１の脚部に交差させて互いの中央部で回動可能に軸設された一対の脚柱を有する第２の脚部（明細書、要約書又は図面において第２の開閉脚ということがある）と、座板の裏面の所定の位置に設けられ、使用時において第１の脚部の他端が係止される第１の係止部と、底板の表面の所定の位置に設けられ、使用時において第２の脚部の他端が係止される第２の係止部とを備え、第１の脚部の一端と底板との取り付け部に底板を座板の方向に付勢する第１の弾性部材が設けられていることを特徴とする正座椅子である。
（２）第１の係止部が少なくとも１つの長穴を、第２の係止部が少なくとも１つの凹部をそれぞれ備えており、長穴と凹部が同数設けられていることを特徴とする上記（１）に記載の正座椅子である。
（３）着座用の座板と、座板の下方に対向配置された底板と、底板の表面の所定の位置に一端が回動可能に取り付けられた一対の脚柱を有する第１の脚部と、座板の裏面の所定の位置に一端が回動可能に取り付けられ、第１の脚部に交差させて互いの中央部で回動可能に軸設された一対の脚柱を有する第２の脚部と、座板の裏面の所定の位置に設けられ、使用時において第１の脚部の他端が係止される少なくとも一つの長穴を有する第１の係止部と、底板の表面の所定の位置に設けられ、使用時において第２の脚部の他端が支持される支持部とを備え、第１の脚部の一端と底板との取り付け部に底板を座板の方向に付勢する第１の弾性部材が設けられていることを特徴とする正座椅子である。
（４）支持部が第２の脚部の他端を摺動可能に係合する溝を有するガイド部であって、ガイド部が底板の表面の長手方向の両側に設けられていることを特徴とする上記（３）に記載の正座椅子である。
（５）さらに、第２の脚部の一端と座板との取り付け部に第２の脚部を座板の方向に付勢する第２の弾性部材が設けられていることを特徴とする上記（１）ないし（４）のいずれかに記載の正座椅子である。
（６）第１の弾性部材又は第２の弾性部材がねじりばねであることを特徴とする上記（５）に記載の正座椅子である。
（７）長穴が３つ設けられていることを特徴とする上記（２）又は（３）に記載の正座椅子である。
【発明の効果】
【００１１】
本発明は以下の効果を奏する。上記（１）に記載の発明によれば、第１の弾性部材の付勢力により組立て及び折畳みが迅速、簡単にでき、指挟み等の事故もなく安全であって、使用時においては底板を設けたことにより安定性が高く、しかも床面に傷や局部的なへこみを生じない正座椅子を提供することができる。上記（２）に記載の発明によれば、高さを複数の段に調節できる上記（１）に記載の正座椅子を提供することができる。上記（３）に記載の発明によれば、第１の弾性部材の付勢力により組立て及び折畳みが迅速、簡単にでき、指挟み等の事故もなく安全であって、使用時においては底板を設けたことにより安定性が高く、しかも床面に傷や局部的なへこみを生じない正座椅子を提供することができる。また、高さを複数の段に調節できるとともに、多様な形態の底板を用いた正座椅子を提供することができる。上記（４）に記載の発明によれば、第２の脚部の他端が底板に設けられたガイド部に摺動可能に係合されることにより、第２の脚部の他端とガイド部との衝突に伴う音を生じない上記（３）に記載の正座椅子を提供することができる。上記（５）に記載の発明によれば、第２の弾性部材の付勢力により折り畳んだ際に脚部に緩みのない上記（１）ないし（４）のいずれかに記載の正座椅子を提供することができる。上記（６）に記載の発明によれば、入手が容易であって安価な弾性部材をもって上記（５）に記載の正座椅子を提供することができる。上記（７）に記載の発明によれば、高さを三段に調節できる上記（２）又は（３）に記載の正座椅子を提供することができる。
【図面の簡単な説明】
【００１２】
【図１】第１の実施の形態に係る正座椅子の斜視図である。
【図２】第１の実施の形態に係る正座椅子がセットされた状態を示す正面図である。
【図３】第１の実施の形態に係る正座椅子が折畳まれた状態を示す正面図である。
【図４】図２において、座板及び底板の部分の断面を示す一部断面図である。
【図５】第１の実施の形態に係る正座椅子の座板の詳細を示す分解斜視図である。
【図６】第１の実施の形態に係る正座椅子の底板及び脚部の詳細を示す分解斜視図である。
【図７】図２において、正座椅子のＢ−Ｂ線近傍を示す図であって、（ａ）は連結部の軸方向の断面図、（ｂ）はねじりばね外嵌部の断面図、（ｃ）は（ｂ）の直径方向の断面図である。
【図８】第１の実施の形態に係る正座椅子の動作を示す一部断面図である。
【図９】図４において、座板の高さを最高にした状態を示す断面図である。
【図１０】第２の実施の形態に係る正座椅子の斜視図である。
【図１１】第２の実施の形態に係る正座椅子の座板及び底板の部分の断面を示す一部断面図である。
【図１２】第２の実施の形態に係る正座椅子の底板の詳細を示す分解斜視図である。
【図１３】第２の実施の形態に係る正座椅子の動作を示す一部断面図である。
【図１４】第３の実施の形態に係る正座椅子が折畳まれた状態を示す図であって、座板及び底板の部分の断面を示す一部断面図である。
【図１５】図１４において、座板側のねじりばね部分の詳細を示し、（ａ）は断面図、（ｂ）は斜視図である。
【図１６】他の実施の形態の一例を示す図である。
【図１７】従来の正座椅子の一例を示す正面図である。
【発明を実施するための形態】
【００１３】
［第１の実施の形態］
図１ないし９に基づいて、本発明の第１の実施の形態に係る正座椅子を説明する。
【００１４】
（正座椅子の全体の構成）
正座椅子１は、図１及び図２に示すように、人が着座する座板４と、畳等の床面に置かれる底板２と、後述する構成にて座板４と底板２に取付けられた第１の脚部３１及び第２の脚部３２からなる脚部３を備えている。正座椅子１は第１の脚部３１と第２の脚部３２の交差角度（開閉角度）を変化させることにより座板４と底板２との間の距離即ち正座椅子１の使用時の高さを調節することができるが、図１及び図２ではそのうちのある高さに設定した場合を示している。また、正座椅子１は、図３に示すように、脚部３を水平状態にすることにより折畳むことができる。図３では折畳まれた脚部３が露出した状態を示しているが、例えば座板４又は底板２の側面部に覆いとなるような部材を設け、折畳んだ際に脚部３が見えないようにすることもできる。
【００１５】
第１の脚部３１及び第２の脚部３２は、図４に示すように、座板４と底板２に次に述べるように取付けられている。すなわち、第１の脚部３１は、その一端（ここでは向って右方の端部）が底板２に回動可能に取付けられるとともに、他端（ここでは向って左方の端部）が座板４の第１の係止部に設けられた長穴４２２に係止される。そして、第２の脚部３２は、その一端（ここでは向って右方の端部）が座板４に回動可能に取付けられるとともに、他端（ここでは向って左方の端部）が底板２の第２の係止部に設けられた凹部２２に係止される。
【００１６】
（座板の構成）
座板４は、図４に示すように、人が長時間座り続けても苦痛を感じないようにクッション性を持たせた構造となっており、その表面にはクッション縫製体４３が設けられている。クッション縫製体４３を除いた座板４の詳細は図５の分解斜視図に示すとおりであって、座板４は、複数（ここでは８つ）の軽量化等のための開口部４１１及び複数（ここでは６つ）のボルト穴４１２が施された板状のプレート４１と、このプレート４１の下面に予め定めた間隔で平行に長手方向に取り付けられる一対の第１の係止部４２Ａ，４２Ｂと、クッション縫製体４３をボルト（図示せず）によりプレート４１に固定するための枠形の固定具４４とを備えている。
【００１７】
第１の係止部４２Ａ，４２Ｂの一端には、図５に示すように、後述する図６に示す第２の脚部３２の脚柱３２０Ａ，３２０Ｂの軸穴３２４Ａ，３２４Ｂに通された軸６を回動可能に軸支するための穴４２１Ａ，４２１Ｂが設けられている。また、第１の係止部４２Ａ，４２Ｂの他端下側には、同じく後述する図６に示す第１の脚部３１の脚柱３１０Ａ，３１０Ｂの軸穴３２３Ａ，３２３Ｂに通された軸７の中間部を嵌入可能とするための複数（ここでは３つ）の長穴４２２が所定間隔に設けられている。さらに、第１の係止部４２Ａ，４２Ｂは、それ自身をプレート４１に固定するためのボルト（図示せず）が挿入される複数（ここでは６つ）のボルト穴４２３を有している。軸７が複数の長穴４２２のいずれに嵌入するかによって座板４の高さが決定されることになるが、長穴４２２の数は３つに限定されるものではなく、１つ又は複数にすることができる。
【００１８】
（底板の構成）
底板２の詳細は図６の分解斜視図に示すとおりであって、説明の便宜上、脚部３の詳細とともに図示している。底板２の一端には、第１の脚部３１の脚柱３１０Ａ，３１０Ｂの下端同士を連結する連結部３１１を回動可能に支持するための凹部２１が設けられている。また、底板２の他端には、第２の脚部３２の脚柱３２０Ａ，３２０Ｂの下端同士を連結する連結部３２１を係止可能とするための複数（ここでは３つ）の凹部２２が設けられている。さらに、底板２は、第１の脚部３１の連結部３１１を軸支するための穴２３Ａ，２３Ｂを有している。連結部３２１が複数の凹部２２のいずれに係止するかによって座板４の高さが決定されることになるが、凹部２２の数は３つに限定されるものではなく、１つ又は複数にすることができる。なお、ここでは底板２の形状を略長方形に、そのサイズを座板４よりも一回り小さなものとしているが、それらに限定されるものではない。底板２の形状やサイズは、座板４の形状やサイズを考慮し、安定性を確保しつつ着座した人のすねが当たらないように設定することができる。底板２の材料は適宜選択できるが、軽量化に適した材料としては例えば６ナイロンやＡＢＳ樹脂等による樹脂成形が好ましい。
【００１９】
（脚部の構成）
脚部３は、図２、４及び６に示すように、第１の脚部３１と第２の脚部３２を備えており、脚部３の正面形状は全体として第１の脚部３１と第２の脚部３２が交差した形状（略Ｘ字形）となる。第１の脚部３１及び第２の脚部３２のそれぞれは、図６に示すように、一対の脚柱をその下端において連結する構成となっており、側面方向からみると略Ｕ字形となる。第１の脚部３１と第２の脚部３２は同じ構成のものに限定されないが、互換して部品数を減らすことができるように、ここでは同じ構成としている。
【００２０】
第１の脚部３１は、平行に配置された一対の脚柱３１０Ａ，３１０Ｂと、これらの下端同士を連結する連結部３１１と、脚柱３１０Ｂの中間部に水平に設けられた軸部３１２とを有している。また、第２の脚部３２は、平行に配置された一対の脚柱３２０Ａ，３２０Ｂと、これらの下端同士を連結する連結部３２１と、脚柱３２０Ａの中間部に水平に設けられた軸部３２２とを有している。軸部３１１と軸部３１２は合致するように設けられており、これらに軸５が挿通されることによって、第１の脚部３１と第２の脚部３２との間の回動、即ち、第１の脚部３１と第２の脚部３２との間のＸ字形状の変形が可能となっている。脚部３の材料は適宜選択できるが、軽量化のためには例えば６ナイロンやＡＢＳ樹脂等による樹脂成形が好ましい。
【００２１】
第１の脚部３１の脚柱３１０Ａ，３１０Ｂは上端のそれぞれに軸穴３２３Ａ，３２３Ｂを、第２の脚部３２の脚柱３２０Ａ，３２０Ｂは上端のそれぞれに軸穴３２４Ａ，３２４Ｂを有している。軸穴３２３Ａ，３２３Ｂには軸７が挿入され、その中間部が座板４に設けられている第１の係止部４２Ａ，４２Ｂの長穴４２２に嵌合する。軸穴３２４Ａ，３２４Ｂには軸６が挿入され、この軸６の中間部が座板４に軸支される。また、第１の脚部３１の連結部３１１は軸穴３１３を、第２の脚部３２の連結部３２１は軸穴３２５を有している。軸穴３１３には底板２の軸部２３Ａ，２３Ｂを通して軸８が挿入され、軸８の中心部には、弾性部材としてのねじりばね１０が外嵌されている。軸穴３２５には軸９が挿入されている。
【００２２】
図７は、図２に示す正座椅子１のＢ−Ｂ線すなわち第１の脚部３１の底板２への取付け部の断面を示したものであり、（ａ）は連結部の軸方向の断面図、（ｂ）は（ａ）におけるねじりばね外嵌部の拡大断面図、（ｃ）は（ｂ）のねじりばねの直径方向の断面図である。図７（ｂ）及び（ｃ）に示すように、ねじりばね１０が装着されている部分の連結部３１１は下側の半分に空間３１４が設けられており、この空間３１４から突出したねじりばね１０の一端が、図７（ｃ）に示すように底板２の凹部２１に係止されている。このねじりばね１０の作用により、底板２は図８で示すように座板４の方向すなわち時計回りに付勢される。
【００２３】
（正座椅子を組み立てる方法）
正座椅子１を組み立てる方法について説明する。各部材を準備した後、まず、脚部３の第１の脚部３１及び第２の脚部３２を図６に示すようにＸ字形に位置決めした後、各脚部の軸部３１２と軸部３２２とを同軸になるように配置する。ついで、軸５を軸部３１２，３２２に挿入して軸設する。更に、軸５をかしめ等により脚部３に固定し、軸５が軸部３１２，３２２から抜け出ないようにする。
【００２４】
次に、ねじりばね１０を底板２の凹部２１の中央部に置き、更に、第１の脚部３１の連結部３１１を軸部２３Ａと軸部２３Ｂとの間に位置決めし、連結部３１１を凹部２１に配置する。この状態のまま、軸部２３Ａ、連結部３１１、ねじりばね１０及び軸部２３Ｂのそれぞれに軸８を挿入する。ついで、かしめ等により軸８を軸部２３Ａ，２３Ｂに固定する。
【００２５】
次に、図５に示す各部品の配置に従って組み立てられた座板４を用意する。この座板４の第１の係止部４２Ａ，４２Ｂの穴４２１Ａ，４２１Ｂを第２の脚部３２の脚柱３２０Ａ，３２０Ｂの上端に位置決めする。この状態で、軸６を軸穴３２４Ａ、穴４２１Ａ，４２１Ｂ、軸穴３２４Ｂの順に通し、最後に、かしめ等により軸６を第１の係止部４２Ａ，４２Ｂに固定する。
【００２６】
（正座椅子の動作）
正座椅子１の動作について説明する。図３に示すように折畳まれた状態において、人が底板２と座板４とを引き離すように操作すると、底板２がねじりばね１０の作用により座板４の方向に付勢されているため、第２の脚部３２の下端は底板２に設けられた第２の係止部の複数の凹部２２の稜線に沿うように移動する。所望する凹部２２に位置したときに引き離す力を加減すると、第２の脚部３２の下端はその際の凹部２２に接触し、例えば図８の状態になる。この状態では第１の脚部３１の軸７が第１の係止部４２Ａ，４２Ｂの長穴４２２に係着していないが、底板２を床等に置いて座板４を押下すると、第２の脚部３２の下端が凹部２２に接触したまま、第１の脚部３１の軸７がその凹部２２に対応する長穴４２２に嵌入し、その直後に第２の脚部３２の下端が凹部２２に係止して、例えば図４の状態となってセットが完了する。
【００２７】
一旦セットされると、ねじりばね１０の付勢力により底板２と第１の脚部３１とが引き寄せられ、第１の脚部３１の軸７が第１の係止部４２Ａ，４２Ｂの長穴４２２に嵌入しているため、正座椅子１のどの部分を持ち上げても、正座椅子１は図４の状態を維持し続ける。
【００２８】
正座椅子１の座板４を高く変更したい場合、例えば図４の高さから図９の高さにする場合は、底板２と座板４とを引き離すように操作すると、第２の脚部３２の軸９及び第１の脚部３１の軸７が現在係止され又は嵌入されている凹部２２及び長穴４２２からそれぞれ開放され、軸９を右端の凹部２２に係止させた後、座板４を底板２の側へ押せば、軸７が対応する長穴４２２に嵌入されて正座椅子１は図９の状態になる。
【００２９】
図４又は図９のような姿勢になっている正座椅子１を折畳んで図３の状態にするためには、底板２と座板４とを引き離して第２の脚部３２の軸９及び第１の脚部３１の軸７を凹部２２及び長穴４２２からそれぞれ開放した後、再びそれらに係止又は嵌入しないように保持すると、ねじりばね１０の付勢力により第１の脚部３１及び第２の脚部３２がＸ字状態からほぼ平行状態に変化し、折畳むことができる。
【００３０】
［第２の実施の形態］
図１０ないし１３に基づき、本発明の第２の実施の形態に係る正座椅子について説明する。
【００３１】
（正座椅子の全体の構成）
本実施の形態に係る正座椅子１は、図１０に示すとおり、第２の脚部３２を支持する底板２の構成が異なる点（後述）を除き、第１の実施の形態と同じように、人が着座する座板４と、畳等の床面に置かれる底板２と、座板４と底板２に取付けられた第１の脚部３１及び第２の脚部３２からなる脚部３を備えている。第１の脚部３１と第２の脚部３２の交差角度（開閉角度）を変化させることにより座板４と底板２との間の距離即ち正座椅子１の使用時の高さを調節することができる点、脚部３を水平状態にすることにより折畳むことができる点も、第１の実施の形態と同様である。
【００３２】
第２の脚部３２を支持する底板２の構成は、図１１に示すとおりである。すなわち、第２の脚部３２の一端（ここでは向って右方の端部）が座板４に回動可能に取付けられるとともに、他端（ここでは向って左方の端部）が底板２の長手方向の両側に設けられたガイド部５１の溝５３に係合される構成となっている。第１の脚部３１の一端（ここでは向って右方の端部）が底板２に回動可能に取付けられるとともに、他端（ここでは向って左方の端部）が座板４の第１の係止部に設けられた長穴４２２に係止される構成は第１の実施の形態と同様である。
【００３３】
（座板の構成）
座板の構成は第１の実施の形態と同様である。
【００３４】
（底板の構成）
底板２の詳細は図１２に示すとおりである。底板２の長手方向の両側には、第２の脚部３２の脚柱３２０Ａ，３２０Ｂの下端同士を連結する連結部３２１の延長上に外側に突出した回転止めピン５２を摺動可能に係合するためのガイド部５１が設けられている。ガイド部５１の断面は内側に凹であって縦に細長い略コの字状の形態すなわち溝５３を有している。座板４の高さは第１の脚部３１の他端が座板の裏面に設けられた第１の係止部の長穴に係止されることにより決定されることになるが、長穴の数は３つに限定されるものではなく、１つ又は複数にすることができる。その他の構成は第１の実施の形態と同様である。
【００３５】
（脚部の構成）
第２の脚部３２に、図１０に示すとおり、脚柱３２０Ａ，３２０Ｂの下端同士を連結する連結部３２１の延長上に外側に突出した回転止めピン５２が設けられており、それ以外は第１の実施の形態と同様である。
【００３６】
（正座椅子を組み立てる方法）
第２の係止部の代わりにガイド部５１を設けた底板を用いるほかは第１の実施の形態と同様である。
【００３７】
（正座椅子の動作）
正座椅子１の動作について説明する。図３に示すように折畳まれた状態において、人が底板２と座板４とを引き離すように操作すると、底板２がねじりばね１０の作用により座板４の方向に付勢されているため、例えば図１３に示すように、第２の脚部３２の下端は底板２に設けられたガイド部５１の開放された一端に自然に係合する。所望する位置になったときに引き離す力を加減すると、第１の脚部３１の軸７がその際の長穴４２２に嵌入し、例えば図１１の状態となってセットが完了する。ガイド部５１に係合された第２の脚部３２の他端はそれに対応する位置で停止する。
【００３８】
一旦セットされると、ねじりばね１０の付勢力により底板２と第１の脚部３１とが引き寄せられ、第１の脚部３１の軸７が第１の係止部４２Ａ，４２Ｂの長穴４２２に嵌入しているため、正座椅子１のどの部分を持ち上げても、正座椅子１は図１１の状態を維持し続ける。
【００３９】
正座椅子１の座板４を高く変更したい場合、底板２と座板４とを引き離すように操作すると、第１の脚部３１の軸７が現在係止され又は嵌入されている長穴４２２からそれぞれ開放され、軸７が別の長穴４２２に嵌入されて正座椅子１は別の高さの状態になる。この間、第２の脚部の他端は係合されたガイド部５１に沿って移動する。第１の実施の形態においては、第２の係止部が凹凸の稜線を形成し、第２の脚部の他端がその稜線に沿って移動するため、凸の頂上から凹の底に移動する際には落下するような状態となり、凹の底に接触した際に衝突音が生じる。この点、本実施の形態においては、第２の脚部の他端がガイド部５１に沿って直線的に移動するため、衝突音が生じない。正座椅子は法事などの静謐な環境において使用されることも多く、耳障りな音の発生を防ぐことができる。
【００４０】
図１１のような姿勢になっている正座椅子１を折畳んで図３の状態にするためには、底板２と座板４とを引き離して第１の脚部３１の軸７を長穴４２２から開放した後、再びそれらに係止又は嵌入しないように保持すると、ねじりばね１０の付勢力により第１の脚部３１及び第２の脚部３２がＸ字状態からほぼ平行状態に変化し、折畳むことができる。
【００４１】
［第３の実施の形態］
図１４及び１５に基づいて、本発明の第３の実施の形態に係る正座椅子を説明する。
【００４２】
本実施の形態は、第１又は第２の実施の形態において、底板２側に設けられたねじりばね１０に加え、第２のねじりばねとなるねじりばね１２を座板４側に設けたものであり、その他の構成は第１の実施の形態と同様である。図１４は、本発明の第２の実施の形態に係る正座椅子の折り畳んだ状態を示した断面図である。また、図１５（ａ）は図１４の正座椅子の座板側のねじりばね１２部分の詳細を示した一部拡大断面図、図１５（ｂ）は同じくねじりばね１２部分を側面方向からみた一部拡大斜視図である。
【００４３】
図１４及び図１５に示すように、ねじりばね１２は、軸６に外嵌された状態で軸７と第２の脚部３２との間に設けられ、図１４のように折り畳まれているとき、第２の脚部３２をクッション縫製体４３側へ付勢するように設けられている。
【００４４】
第３の実施の形態によれば、第１又は第２の実施の形態の正座椅子１が、図３の状態から全体を持ち上げずに、例えば座板４を手で持ち上げると、折り畳み状態が解除される場合があるのに対し、本実施の形態に係る正座椅子１は、座板４等を持ち上げても図１４の（ｂ）の状態を継続できるため、折り畳んだ状態を解除されないようにすることができる。その他の効果は第１又は第２の実施の形態と同様である。
【００４５】
［他の実施の形態］
本発明は、上記各実施の形態に限定されず、本発明の技術的思想を逸脱あるいは変更しない範囲内で種々な変形が可能である。
【００４６】
例えば、図１６は、本発明の他の実施の形態の一例を示す正面図である。本実施の形態は、図２に示す第１の実施の形態において、底板２の外形を座板２４と略同サイズ又はそれ以上のサイズにすると共に、正座椅子１にユーザーが座った際に足のすねが当たる部分の底板２にクッション材１１Ａ，１１Ｂを設けたものであり、その他の構成は第１の実施の形態と同様である。この実施の形態によれば、底板２の床接触面積を大きくしたことにより、体格の大きな人や体重の重い人が着座しても正座椅子１の安定性をより一層高めることができる。例えば、図９に示すように、座面を高くした場合、底板２が小さいと正座椅子１の全体が不安定になり易いが、底板２を大きくすることによって安定性が改善される。更に、クッション材１１Ａ，１１Ｂを設けたことにより、底板２がユーザーの足に直に接触しないため、使用者の足に痛みを与えないようにすることができる。その他の効果は第１の実施の形態と同様である。
【００４７】
また、弾性部材としてねじりばね１０を用い、更に弾性部材としてねじりばね１２を用いたが、ねじりばね以外の弾性体、例えば、圧縮ばね、引っ張りばね、ぜんまいばね等であってもよい。
【００４８】
また、第１の係止部４２Ａ，４２Ｂは、いずれか１つとし、これを図５に示す第１の係止部４２Ａ，４２Ｂの中間位置に設ける構成であってもよい。また、正座椅子１は、凹部２２及び長穴４２２が、上記各実施の形態とは逆に、座板４側に凹部２２が設けられ、底板２側に長穴４２２が設けられた構成であってもよい。
【００４９】
また、座板４は、上面にクッション縫製体４３を設けたが、これに代えて他の素材、例えば、樹脂加工品、低発砲ポリスチレンの加工品、木製品等による座部を設けてもよい。また、座板４は長方形としたが、それに限定されるものではない。例えば、正方形、円形、楕円形、三角形などでもよい。
【００５０】
また、第１の脚部３１及び第２の脚部３２の側面形状は略Ｕ字形にしたが、脚柱３１０Ａ，３１０Ｂ，３２０Ａ，３２０Ｂから連結部３１１，３２１を除去し、脚柱３１０Ａ，３１０Ｂ，３２０Ａ，３２０Ｂを個別に底板２及び座板４に軸支（但し、自由端を除く）する構成であってもよい。
【００５１】
また、上記各実施の形態において、軸５〜９が支持体側から抜け出すのを防止する手段としては、ビス止め、溶接、蓋を付ける等であってもよい。
【産業上の利用可能性】
【００５２】
本発明は上記に述べた正座椅子を提供することができるほか、子供用椅子、脇息、枕又は読書台その他の物に幅広く応用することができる。
【符号の説明】
【００５３】
１        正座椅子
２        底板
３        脚部
４        座板
５        軸
６        軸
７        軸
８        軸
９        軸
１０      ねじりばね
１１Ａ    クッション材
１１Ｂ    クッション材
１２      ねじりばね
２１      凹部
２２      凹部
２３Ａ    軸部
２３Ｂ    軸部
３１      第１の脚部
３２      第２の脚部
４１      プレート
４２Ａ    第１の係止部
４２Ｂ    第１の係止部
４３      クッション縫製体
４４      固定具
３１０Ａ  脚柱
３１０Ｂ  脚柱
３１１    連結部
３１２    軸部
３１３    軸穴
３１４    開口
３２０Ａ  脚柱
３２０Ｂ  脚柱
３２１    連結部
３２２    軸部
３２３Ａ  軸穴
３２３Ｂ  軸穴
３２４Ａ  軸穴
３２４Ｂ  軸穴
３２５    軸穴
４１１    開口
４１２    ボルト穴
４２１Ａ  穴
４２１Ｂ  穴
４２２    長穴
４２３    ボルト穴
５１      ガイド部
５２      回転止めピン
５３      溝
【図１】
2011031018.tif 000003
【図２】
2011031018.tif 000004
【図３】
2011031018.tif 000005
【図４】
2011031018.tif 000006
【図５】
2011031018.tif 000007
【図６】
2011031018.tif 000008
【図７】
2011031018.tif 000009
【図８】
2011031018.tif 000010
【図９】
2011031018.tif 000011
【図１０】
2011031018.tif 000012
【図１１】
2011031018.tif 000013
【図１２】
2011031018.tif 000014
【図１３】
2011031018.tif 000015
【図１４】
2011031018.tif 000016
【図１５】
2011031018.tif 000017
【図１６】
2011031018.tif 000018
【図１７】
2011031018.tif 000019